(57)【要約】【課題】  器具側へのゴミの侵入を防止する。【解決手段】  配管ユニット１は、下方に開口する流入口２と、上方に開口する流出口３と、側方に開口する水抜き口４とを形成してなり、水抜き口４には、フィルタ６を備えた水抜栓５がねじ込み装着されて、水抜栓５の取り外しによって水抜き口４を開放可能となっている。また、フィルタ６の下流となる流出口３内には、嵌合リング８と、その嵌合リング８に周縁が固着されて下方へ向けて膨出する金網９とからなる第２フィルタ７が装着されており、水抜栓５がフィルタ６と共に取り外されても、第２フィルタ７によって流出口３より下流側へのゴミの流入が阻止されるようになっている。【選択図】  図１
2005180485.tif 000002
【特許請求の範囲】
【請求項１】
流路の途中に流体抜き口を設け、その流体抜き口に、装着状態で前記流路内に位置するフィルタを備えた栓部材を着脱可能に装着した配管構造であって、
前記流路内における前記フィルタよりも下流側に、少なくとも１つの追加フィルタを設けたことを特徴とする配管構造。
【請求項２】
流路の途中に流体抜き口を設け、その流体抜き口に、装着状態で前記流路内に位置するフィルタを備えた栓部材を着脱可能に装着した配管構造であって、
前記フィルタよりも上流側の流路と下流側の流路とを直交状に接続して、前記流体抜き口を前記上流側の流路の延長線上に形成し、さらに前記上流側の流路内に、前記流体抜き口よりも開口面積の小さい絞り部を設けたことを特徴とする配管構造。
【請求項３】
流入口と流出口とを有する流路と、前記流路の途中で開口する流体抜き口と、その流体抜き口に着脱可能で、装着状態で前記流路内に位置するフィルタを備えた栓部材と、前記フィルタの下流側で前記流路内へ着脱可能に設けられた少なくとも１つの追加フィルタとからなる配管ユニット。
【請求項４】
流入口と流出口とを有して直交状に折曲する流路と、前記流入口の延長線上で開口する流体抜き口と、その流体抜き口に着脱可能で、装着状態で前記流路内に位置するフィルタを備えた栓部材と、前記フィルタの上流側で前記流体抜き口よりも開口面積の小さい絞り部とからなる配管ユニット。
【発明の詳細な説明】
【技術分野】
【０００１】
本発明は、給湯器等への給水側に使用される配管構造及び配管ユニットに関する。
【背景技術】
【０００２】
例えば給湯器においては、熱交換器へ水を供給する給水管内に、磁石を付した羽根車からなる水量センサを設けて、器具内を通水する水量を検知可能としている。よって、給湯器の設置工事の際等にゴミ等の異物が水量センサ側に流入しないように、配管内で水量センサの上流側にはフィルタが設けられている。このフィルタの構造としては、特許文献１に開示のように、配管の途中に設けた水抜き口に、フィルタを備えた栓部材をねじ込み装着するものが知られている。この栓部材は、取り外してフィルタの掃除や交換ができるようになっている。
【０００３】
【特許文献１】特開２００３−９０６１６号公報
【発明の開示】
【発明が解決しようとする課題】
【０００４】
上記設置工事の際には、フィルタと共に栓部材を取り外し、上流側から水抜き口まで水を流して配管内のゴミを排出しようとすることが多い。このとき、水がさらに下流の水量センサ側にまで流れ込んでしまう場合があるため、配管内のゴミが水量センサや器具内に入り込むおそれがある。
【０００５】
そこで、本発明は、このような栓部材を備えた配管において、器具側へのゴミの侵入を効果的に防止できる配管構造及び配管ユニットを提供することを目的としたものである。
【課題を解決するための手段】
【０００６】
上記目的を達成するために、請求項１に記載の発明は、流路内におけるフィルタよりも下流側に、少なくとも１つの追加フィルタをさらに設けたことを特徴とする配管構造である。
上記目的を達成するために、請求項２に記載の発明は、フィルタよりも上流側の流路と下流側の流路とを直交状に接続して、流体抜き口を上流側の流路の延長線上に形成し、さらに上流側の流路内に、流体抜き口よりも開口面積の小さい絞り部を設けたことを特徴とする配管構造である。
上記目的を達成するために、請求項３に記載の発明は、流入口と流出口とを有する流路と、流路の途中で開口する流体抜き口と、その流体抜き口に着脱可能で、装着状態で流路内に位置するフィルタを備えた栓部材と、フィルタの下流側で流路内へ着脱可能に設けられた少なくとも１つの追加フィルタとからなる配管ユニットとしたものである。
上記目的を達成するために、請求項４に記載の発明は、流入口と流出口とを有して直交状に折曲する流路と、流入口の延長線上で開口する流体抜き口と、その流体抜き口に着脱可能で、装着状態で流路内に位置するフィルタを備えた栓部材と、フィルタの上流側で流体抜き口よりも開口面積の小さい絞り部とからなる配管ユニットとしたものである。
【発明の効果】
【０００７】
本発明によれば、器具側へのゴミの流入が効果的に防止され、設置後の器具の信頼性を維持できる。特に、配管ユニットにおいては、これらの効果に加えて、一体にユニット化したことで、器具への取り付けや追加フィルタの着脱が容易となり、設置工事やメンテナンス時の作業性にも優れる。
【発明を実施するための最良の形態】
【０００８】
以下、本発明の実施の形態を図面に基づいて説明する。
《形態１》
図１は、本発明の配管構造を適用した配管ユニットの説明図で、配管ユニット１は、下方に開口する流入口２と、上方に開口する流出口３とを上下方向で平行に形成して両者を中間で接続した流路を内設すると共に、流入口２と流出口３との接続部分に、側方に開口する水抜き口４を形成してなる。この水抜き口４には、栓部材としての水抜栓５がねじ込み装着されて、水抜栓５の取り外しによって水抜き口４を開放可能となっている。また、水抜栓５の先端には、水抜き口４への装着状態で流路内に位置するフィルタ６が固着されて、流出口３側へのゴミの侵入を阻止可能としている。
【０００９】
そして、フィルタ６の下流となる流出口３内には、追加フィルタとしての第２フィルタ７が装着されている。この第２フィルタ７は、嵌合リング８と、その嵌合リング８に周縁が固着されて下方へ向けて膨出する金網９とからなり、流出口３内に形成された嵌合溝１０に嵌合リング８を嵌合させた状態で、流出口３に図示しない配管を連結することで、流出口３内に固定される。よって、この第２フィルタ７により、流出口３の下流側へのゴミの侵入が阻止されることになる。
【００１０】
以上の如く構成された配管ユニット１は、例えば給湯器に用いる場合、流入口２を上水道側の配管に、流出口３を給湯器への給水管に夫々連結される。よって、給湯器の設置工事の際、上水道側からの配管内のゴミを排出するために、図２のように水抜栓５を取り外して給水側から流入口２及び水抜き口４まで水を流した場合に、水が流出口３に流れ込むことがあっても、ゴミは第２フィルタ７に捕捉されて給湯器側へ流れることがない。従って、給水管内の水量センサへのゴミの付着や器具内へのゴミの侵入による不具合のおそれはなくなる。
【００１１】
このように上記形態１の配管構造によれば、流路内におけるフィルタ６よりも下流側に第２フィルタ７を設けたことで、器具側へのゴミの流入が効果的に防止され、設置後の器具の信頼性を維持できる。特に、これらを配管ユニット１として一体にユニット化したことで、器具への取り付けやフィルタの着脱が容易となり、設置工事やメンテナンス時の作業性にも優れる。
【００１２】
なお、第２フィルタの構造は上記形態に限らず、水等の流体を通過させてゴミを捕捉できるものであれば、金網以外に不織布や合成樹脂製のフィルタを用いることもでき、形状も上記膨出形状以外に皿状や棒状等も採用可能である。また、追加フィルタは１つに限らず、複数設けても差し支えない。
【００１３】
《形態２》
一方、上記のような追加フィルタを用いなくても器具側へのゴミの流入は阻止できる。この配管構造を適用した配管ユニットを図３に示す。この配管ユニット１ａでは、流入口２と流出口３とが直交状となるように流路を折曲させ、この折曲部分で流入口２の延長線上に水抜き口４を形成して水抜栓５を着脱可能とする一方、フィルタ６よりも上流側となる流入口２内に、流出口３及び水抜き口４の開口よりも面積が小さい絞り部１１を形成している。
【００１４】
このように形成された配管ユニット１ａにおいても、給湯器に用いる場合、流入口２を上水道側の配管に、流出口３を給湯器への給水管に夫々連結して使用される。よって、給湯器の設置工事の際、上水道側からの配管内のゴミを排出するために、図３（ｂ）に示すように、水抜栓５を取り外して流入口２及び水抜き口４に水を流した際には、絞り部１１を通過する水の流速が上がることで、水はそのまま直進して水抜き口４から排出される。従って、流出口３側への水の流入が防止され、器具側へのゴミの侵入のおそれがなくなる。
【００１５】
このように上記形態２の配管構造によれば、フィルタ６よりも上流側の流入口２と下流側の流出口３とを直交状に接続して、水抜き口４を流入口２の延長線上に形成し、さらに流入口２内に、水抜き口４よりも開口面積の小さい絞り部１１を設けたことで、器具側へのゴミの流入が効果的に防止され、設置後の器具の信頼性を維持できる。特に、これらを配管ユニット１ａとして一体にユニット化したことで、器具への取り付けが容易となり、設置工事やメンテナンス時の作業性にも優れる。
なお、この形態２の場合、器具側へのゴミの侵入をより確実に防止するために、図３に二点鎖線で示すように、流出口３内に形態１のような追加フィルタを設けることも可能である。
【図面の簡単な説明】
【００１６】
【図１】形態１の配管ユニットの説明図である。
【図２】水抜栓を取り外した配管ユニットの説明図である。
【図３】（ａ）形態２の配管ユニットの説明図である。（ｂ）水抜栓を取り外した配管ユニットの説明図である。
【符号の説明】
【００１７】
１，１ａ  配管ユニット、２  流入口、３  流出口、４  水抜き口、５  水抜栓、６  フィルタ、７  第２フィルタ、８  嵌合リング、９  金網、１０  嵌合溝、１１  絞り部。
【図１】
2005180485.tif 000003
【図２】
2005180485.tif 000004
【図３】
2005180485.tif 000005